(57)【要約】【課題】リング部材とリールシート本体との間に隙間を生じ難くする。【解決手段】少なくとも後方側のフードＦを有して繊維強化合成樹脂製竿杆１０を挿通させたリールシート本体１２の後ろに、コルクやＥＶＡ等の柔軟部材で形成したグリップ部材１４を配設し、該グリップ部材とリールシート本体との間であって、外部に露出するようグリップ部材よりも硬い材料のリング部材１８を配設し、該リング部材は前記リールシート本体内部に入り込む管状部１８Ｋを具備しており、該管状部の内部に前記グリップ部材の一部が入り込み、これらを接着剤で固定するよう構成する。【選択図】        図２
2004201570.tif 000002
【特許請求の範囲】
【請求項１】
少なくとも後方側のフードを有して繊維強化合成樹脂製竿杆を挿通させたリールシート本体の後ろに、コルクやＥＶＡ等の柔軟部材で形成したグリップ部材を配設し、該グリップ部材とリールシート本体との間であって、外部に露出するようグリップ部材よりも硬い材料のリング部材を配設し、該リング部材は前記リールシート本体内部に入り込む管状部を具備しており、該管状部の内部に前記グリップ部材の一部が入り込み、これらを接着剤で固定したことを特徴とする釣竿。
【請求項２】
前記リング部材の管状部外周は、リールシート本体内面と螺合している請求項１記載の釣竿。
【請求項３】
前記リールシート本体にはトリガーが設けられており、該トリガー近くの後側で前記グリップ部材やリング部材と連結されており、前記竿杆が前記管状部の中心から該トリガーの位置する側に偏心しており、該竿杆の近づいている部位の管状部を切欠き、更に、該切欠部において露出したリールシート本体と竿杆との間にはグリップ部材が無く、該露出したリールシート本体と竿杆との間を接着剤で接合してなる請求項１又は２記載の釣竿。
【発明の詳細な説明】
【０００１】
【発明の属する技術分野】
本発明は釣竿に関し、特に、ルアー竿や船竿に関する。
【０００２】
【従来の技術】
ルアー竿等のグリップ部とその前側のリールシート本体との間には、天然や人工のコルク材や発泡性樹脂であるＥＶＡ等によって成形された柔軟なグリップ部材の前端面の保護と装飾効果とを狙って、主として金属製のリング部材が配設されている。下記特許文献１には、説明はないが、そうしたリング部材と考えられる形態が図示されている。リールシート本体とリング部材とグリップ部材とを接着剤によって互いに固定する。また、この文献１には、リング部材の無い形態では、グリップ部材先部を段差状に形成してリールシート本体内部に挿入した形態も開示されている。特許文献２においても、グリップ部材先部を段差状に形成してリールシート本体内部に挿入した形態が開示されており、また、説明は無いが、リング部材と見られる形態も図示されている。
【特許文献１】
特開２００１−１６１２２６号公報
【特許文献２】
特開昭６０−２４１８３３号公報
【０００３】
【発明が解決しようとする課題】
然しながら、上記のような平板形状のリング部材が接着固定されているだけでは、釣竿が撓み荷重を受けると、リールシート本体が竿杆と共に撓むことによって接着が剥離し、リールシート本体と金属等の硬質部材で形成したリング部材との間に隙間が生じ、見栄えが悪化するのみならず、把持している手の肉がこの隙間に挟まれて怪我をする虞がある。
依って本発明は、リング部材とリールシート本体との間に隙間を生じ難くすることを目的とする。
【０００４】
【課題を解決するための手段】
上記目的に鑑み本発明の請求項１では、少なくとも後方側のフードを有して繊維強化合成樹脂製竿杆を挿通させたリールシート本体の後ろに、コルクやＥＶＡ等の柔軟部材で形成したグリップ部材を配設し、該グリップ部材とリールシート本体との間であって、外部に露出するようグリップ部材よりも硬い材料のリング部材を配設し、該リング部材は前記リールシート本体内部に入り込む管状部を具備しており、該管状部の内部に前記グリップ部材の一部が入り込み、これらを接着剤で固定したことを特徴とする釣竿を提供する。
本願での管状部とは、完全に閉じたものとは限らず、円周方向が部分的に切欠かれていても含む。
【０００５】
釣竿が撓み変形を受けても、上記リング部材の管状部外面が、構造材であるため所定の硬さを有するリールシート本体内面に押されて共に撓もうとし、これによりリング部材がリールシート本体と剥離することが防止される。
【０００６】
請求項２では、前記リング部材の管状部外周はリールシート本体内面と螺合している請求項１記載の釣竿を提供する。
螺合によって簡便に装着できると共に、釣竿が撓みを受けた場合に、リールシート本体とリング部材とは、螺合部の凹凸係合により分離し難く、従って、外部に露出した部位の剥離もより強く防止できる。
【０００７】
請求項３では、前記リールシート本体にはトリガーが設けられており、該トリガー近くの後側で前記グリップ部材やリング部材と連結されており、前記竿杆が前記管状部の中心から該トリガーの位置する側に偏心しており、該竿杆の近づいている部位の管状部を切欠き、更に、該切欠部において露出したリールシート本体と竿杆との間にはグリップ部材が無く、該露出したリールシート本体と竿杆との間を接着剤で接合してなる請求項１又は２記載の釣竿を提供する。
【０００８】
トリガーを有する竿（ルアー竿）では、ルアーの投擲その他の操作において、指をトリガーに係止させた握り状態で行われる。この操作では、竿を捩るようにして行われることが多い。トリガー部とグリップ部材及びリング部材との連結部位は該トリガーの後ろ側近くであるため、指をトリガーに係止させた握持状態では、この連結部位は手の中に位置している。従って、捩るような竿操作の場合に、この部位の竿杆が柔軟なグリップ部材に接着されているだけではグリップ部材の捩れ変形等により接着部位が剥離し易い。この部位の竿杆の安定保持のため、本願では竿杆表面と（構造材故、グリップ部材よりも硬さの硬い）リールシート本体とを直接に接着接合する。
【０００９】
【発明の実施の形態】
以下、本発明を添付図面に示す実施形態例に基づき、更に詳細に説明する。
図１は本発明に係るルアー竿のハンドル部の側面図であり、図２はその要部の拡大縦断面図である。また、図３はリング部材の図であり、（ｂ）は（ａ）の矢視線Ｃ−Ｃによる横断面図である。エポキシ樹脂等の合成樹脂をマトリックスとし、炭素繊維等の強化繊維で強化した繊維強化樹脂製竿杆１０の後方領域適宜位置には、リールＲの足を挿入させるための固定フードＦを有し、例えば、ナイロン、ＡＢＳ等の合成樹脂材や金属材によって形成されたリールシート本体１２が外挿されている。
【００１０】
この固定フードＦの前方には、対向させて移動フードＦ’が配設されており、該移動フードと固定フードによってリールＲの足を保持固定する。また、リールシート本体１２の固定フード近くであって、径方向反対位置（下側）にはトリガーＴが設けられている。該リールシート本体の後側には、天然や人工のコルクや、発泡性樹脂材のＥＶＡ等による後部グリップ部材１４が配設されている。この連結部位は、トリガー１８の後側近くである。そして、該グリップ部材１４とリールシート本体１２との境界部には、ステンレス等の金属製や硬質合成樹脂製のリング部材１８が外部から視認可能に設けられている。１６は前側グリップ部材である。
【００１１】
リールシート本体１２の後端部には凹部１２Ａが形成されている。この凹部の横断面形状は円形の他、小判型等任意の形状がある。リング部材１８は、外部に露出した環状部１８Ｈと、該環状部の内側端部から前側方向に突出した管状部１８Ｋとを有し、該リング部材外周面と前記凹部の内周面とを接着固定している。一方、後部グリップ部材１４の前端部には、リング部材の内部に入り込む凸部１４Ｔを設けており、該凸部外周面とその段差肩部の面とは、リング部材の内周面及び後面と接着固定されている。また、竿杆１０はリールシート本体中空部１２Ｈの内周面、及び、後部グリップ部材中空部１４Ｈの内周面と接着固定されている。
【００１２】
このように、リング部材が管状部を有していれば、釣竿が撓み変形を受けた場合、リング部材の管状部外面がリールシート本体凹部１２Ａの内周面に押されて共に撓もうとし、これによりリング部材全体がリールシート本体に追随し、剥離することが防止される。従って、環状部１８Ｈとリールシート本体後端面との剥離も防止され、手の肉が挟持されることが防止できる。
【００１３】
また、環状部１８Ｈの外周位置が、少なくとも前側のリールシート本体１２後端面外周位置よりも低ければ、仮に、環状部１８Ｈとリールシート本体後端面との剥離が生じた場合でも、手の肉が挟持されることが防止される。後部グリップ部材１４端部の外周位置も環状部１８Ｈの外周位置より高ければ、より効果が高まる。これらのことは、下記の他の形態例の場合でも同様である。
【００１４】
図４では、リング部材１８が、後方の後部グリップ部材側にも突出した他の管状部１８Ａを有し、更に、この管状部１８Ａの後端部において、径方向外側に突出した環状部１８Ｂを設けている。このため、リング部材１８と後部グリップ部材１４との接合も強固になる。
【００１５】
図５では、リング部材１８が、後側の後部グリップ部材側にも突出した他の管状部１８Ａを有することは図４の場合と同じであるが、環状部１８Ｈの下端部が更に中心方向に延伸した部位１８Ｈ’を有している。この場合も、リング部材１８と後部グリップ部材１４との接合が強固になる。
図６では、リング部材１８が、環状部１８Ｈの外側端部が後方側に突出した他の管状部１８Ｂを有している。この場合も、リング部材１８と後部グリップ部材１４との接合が強固になる。
【００１６】
以上の各形態例では、竿杆１０はリング部材１８の中心からトリガーＴの側に幾分は偏心しているが、大きくは偏心していない。これがもっと大きく偏心した場合の構造として、リング部材１８を示す図７は図３に対応する図であり、（ｂ）は（ａ）の矢視線Ｇ−Ｇによる横断面図である。なお、２点鎖線１０で竿杆の位置を示している。竿杆１０の大きさ程度に切り欠いた管状部の切欠き１８ＫＫを介して、該竿杆の外周下面側とリールシート本体の凹部１２Ａの内周面下部とを接着接合させる。その効果は既述の通りである。
【００１７】
リールシート本体の凹部１２Ａ内周部とリング部材の管状部１８Ｋ外周部との嵌合を、ねじ螺合にすれば、より剥離し難くなる。また、ねじではなく、少なくとも一方を、例えばランダムな凹凸表面にすることで接合強度が向上し、より剥離し難くなる。
以上ではルアー竿を例示したが、船竿等他の釣竿にも適用できる。
【００１８】
【発明の効果】
以上の説明から明らかなように本発明によれば、リング部材とリールシート本体との間に隙間が生じ難い釣竿が提供可能となる。
【図面の簡単な説明】
【図１】図１は本発明に係る釣竿のハンドル部側面図である。
【図２】図２は図１の要部の拡大縦断面図である。
【図３】図３はリング部材の図である。
【図４】図４は本発明に係る要部の他の形態例を示す図である。
【図５】図５は本発明に係る要部の他の形態例を示す図である。
【図６】図６は本発明に係る要部の他の形態例を示す図である。
【図７】図７は他の形態のリング部材の図である。
【符号の説明】
１０                    竿杆
１２                    リールシート本体
１４                    後部グリップ部材
１８                    リング部材
１８Ｋ                  管状部
Ｆ                      固定フード
【図１】
2004201570.tif 000003
【図２】
2004201570.tif 000004
【図３】
2004201570.tif 000005
【図４】
2004201570.tif 000006
【図５】
2004201570.tif 000007
【図６】
2004201570.tif 000008
【図７】
2004201570.tif 000009